(57)【要約】【課題】外観の向上を図りながらも、表示部の視認性を向上させることができるスイッチを提供する。【解決手段】スイッチは、接点および光源を備えたスイッチ本体と、操作部（操作ハンドル２）と、を備える。操作部は、スイッチ本体の前面を覆うように設けられ、押操作に応じて接点のオン／オフを切り換える。操作部は、基部２１と、透光性材料により形成されて基部２１の前面に設けられる透光部２２と、導光部７と、を備える。導光部７は、少なくとも透光部２２の前面から露出する表示部７１を有し、光源から放射された光を透光部２２の前面側に導光する。基部２１は、表示部７１が挿通される第１の孔２１ａを有する。透光部２２は、表示部７１が挿通される第２の孔２２ａを有する。第２の孔２２ａの内周面と表示部７１との間には、全周に亘って空気層８が設けられている。【選択図】図１
2015153558.tif 000002
【特許請求の範囲】
【請求項１】
接点および光源を備えたスイッチ本体と、
前記スイッチ本体の前面を覆うように設けられ、押操作に応じて前記接点のオン／オフを切り換える操作部と、を備え、
前記操作部は、基部と、透光性材料により形成されて前記基部の前面に設けられる透光部と、少なくとも当該透光部の前面から露出する表示部を有し前記光源から放射された光を前記透光部の前面側に導光する導光部と、を備え、
前記基部は、前記表示部が挿通される第１の孔を有し、
前記透光部は、前記表示部が挿通される第２の孔を有し、
前記第２の孔の内周面と前記表示部との間には、全周に亘って空気層が設けられていることを特徴とするスイッチ。
【請求項２】
前記操作部は、前記スイッチ本体に回転可能に支持される第１の端部と、前記第１の端部とは反対側に位置する第２の端部と、を有し、
前記操作部の前面は、前記第１の端部と前記第２の端部の中心よりも前記第１の端部側の第１の領域と、前記中心よりも前記第２の端部側の第２の領域とを有し、
前記表示部は、前記第２の領域に配置されていることを特徴とする請求項１記載のスイッチ。
【請求項３】
前記操作部は、前記スイッチ本体に回転可能に支持される第１の端部と、前記第１の端部とは反対側に位置する第２の端部と、を有し、
前記操作部の前面は、前記第１の端部と前記第２の端部の中心よりも前記第１の端部側の第１の領域と、前記中心よりも前記第２の端部側の第２の領域とを有し、
前記光源は、前記操作部を前面から視たときに、前記第１の領域と重なる位置に配置されていることを特徴とする請求項１記載のスイッチ。
【請求項４】
前記表示部は、前記第２の領域に配置され、
前記導光部は、前記基部の後面に沿って、前記光源から前記表示部に向かって延びる延出部を有することを特徴とする請求項３記載のスイッチ。
【発明の詳細な説明】
【技術分野】
【０００１】
本発明は、スイッチに関し、より詳細には、壁面などの造営面に取り付けられるスイッチに関する。
【背景技術】
【０００２】
従来、器体内に接点を有するスイッチ本体と、スイッチ本体の前面を覆うように設けられ、押操作に応じて接点のオン／オフを切り換える操作部と、を備えたスイッチが提供されている（例えば、特許文献１参照）。この種のスイッチは、スイッチ本体が取付枠に固定され、スイッチ本体の後部が壁面に形成された埋込用の孔に収納された状態で、取付枠を介して壁に取り付けられる。
【０００３】
そして、特許文献１のスイッチにおいて、スイッチ本体は、さらに接点のオン／オフ状態に応じて点灯制御される光源を備える。この場合、光源と向かい合う操作部の部位には、前後方向に貫通する孔が形成されており、当該孔には透明合成樹脂の成型品として表示部がはめ込まれている。光源から放射された光は、対向配置された表示部を介して操作部の前面側に導出される。したがって、ユーザは、操作部の表示部を通じて、接点に接続されている負荷のオン／オフや操作部の位置を確認することができる。
【先行技術文献】
【特許文献】
【０００４】
【特許文献１】特開２００３−３１７５６２号公報
【発明の概要】
【発明が解決しようとする課題】
【０００５】
ところで、操作部に対する外観の向上を図るために、操作部の基部の前面側に透光性材料により形成された透光部を配置させる場合、表示部がはめ込まれて露出するための孔を透光部に形成する必要がある。しかしながら、このような場合、表示部から導出された光は、操作部の前方だけでなく周囲の透光部を通じて側方に拡散して、ぼやけてしまうという問題があった。その結果、従来のスイッチでは、外観の向上を図るために単に透光部を設けるだけでは、ユーザが表示部を視認しにくくなるという問題があった。
【０００６】
本発明は上記の点に鑑みて為された発明であり、本発明の目的は、外観の向上を図りながらも、表示部の視認性を向上させることができるスイッチを提供することにある。
【課題を解決するための手段】
【０００７】
本発明のスイッチは、接点および光源を備えたスイッチ本体と、前記スイッチ本体の前面を覆うように設けられ、押操作に応じて前記接点のオン／オフを切り換える操作部と、を備える。前記操作部は、基部と、透光性材料により形成されて前記基部の前面に設けられる透光部と、導光部と、を備える。前記導光部は、少なくとも当該透光部の前面から露出する表示部を有し前記光源から放射された光を前記透光部の前面側に導光する。前記基部は、前記表示部が挿通される第１の孔を有する。前記透光部は、前記表示部が挿通される第２の孔を有する。前記第２の孔の内周面と前記表示部との間には、全周に亘って空気層が設けられている。
【０００８】
このスイッチにおいて、前記操作部は、前記スイッチ本体に回転可能に支持される第１の端部と、前記第１の端部とは反対側に位置する第２の端部と、を有することが好ましい。前記操作部の前面は、前記第１の端部と前記第２の端部の中心よりも前記第１の端部側の第１の領域と、前記中心よりも前記第２の端部側の第２の領域とを有することが好ましい。前記表示部は、前記第２の領域に配置されていることが好ましい。
【０００９】
このスイッチにおいて、前記操作部は、前記スイッチ本体に回転可能に支持される第１の端部と、前記第１の端部とは反対側に位置する第２の端部と、を有することが好ましい。前記操作部の前面は、前記第１の端部と前記第２の端部の中心よりも前記第１の端部側の第１の領域と、前記中心よりも前記第２の端部側の第２の領域とを有することが好ましい。前記光源は、前記操作部を前面から視たときに、前記第１の領域と重なる位置に配置されていることが好ましい。
【００１０】
このスイッチにおいて、前記表示部は、前記第２の領域に配置され、前記導光部は、前記基部の後面に沿って、前記光源から前記表示部に向かって延びる延出部を有することが好ましい。
【発明の効果】
【００１１】
本発明によれば、透光部の第２の孔の内周面と表示部との間には、全周に亘って空気層が設けられているので、表示部から側方に向かって導出された光が、表示部の側面と空気層との界面で反射しやすくなる。その結果、透光部を通じた側方への光の拡散が抑制され、外観の向上を図りながらも、表示部の視認性を向上させることができる。
【図面の簡単な説明】
【００１２】
【図１】図１（ａ）は、本実施形態のスイッチ装置における操作ハンドルの要部正面図であり、図１（ｂ）は、図１（ａ）におけるＡ−Ａ断面図である。
【図２】本実施形態のスイッチ装置の前方から視た分解斜視図である。
【図３】本実施形態のスイッチ装置におけるスイッチ本体と取付枠の後方から視た斜視図である。
【図４】本実施形態のスイッチ装置におけるスイッチの回路図である。
【図５】本実施形態のスイッチ装置が壁面に取り付けられた状態の正面図である。
【図６】本実施形態の別のスイッチ装置が壁面に取り付けられた状態の正面図である。
【発明を実施するための形態】
【００１３】
以下、図１（ａ）〜図６を参照しながら、本実施形態のスイッチ１０を備えたスイッチ装置の詳細について説明する。
【００１４】
本実施形態のスイッチ１０は、壁面などの造営面に取り付けられる埋込型のスイッチであり、図２に示すように、スイッチ本体１と、操作ハンドル２（操作部）と、を備える。そして、本実施形態のスイッチ装置は、スイッチ１０と、取付枠３と、プレート４と、によって構成される。本実施形態では、スイッチ１０としてワイドハンドル形のスイッチ（いわゆるピアノハンドル式スイッチ）を例示するが、ワイドハンドル形以外のスイッチであっても構わない。なお、以下の説明では、特に断りが無いかぎり、図２において上下左右前後の各方向を規定する。つまり、本実施形態における後方向とは、ユーザによって操作ハンドル２（操作部）が押し込まれる方向と一致する。
【００１５】
スイッチ本体１は、図２に示すように、矩形箱状に形成されている。スイッチ本体１の大きさは規格化されており、取付枠３に３個まで取り付け可能な大きさ（以下、この大きさを１個モジュール寸法という）に形成されている。スイッチ本体１の前面には押釦ハンドル１１が前後方向において移動自在な状態で取り付けられている。この押釦ハンドル１１が後方へ押し込まれる度に、スイッチ本体１の内部に収納された接点２００（図４参照）のオン／オフが切り替えられるように、接点２００の切替機構が構成されている。
【００１６】
スイッチ本体１の前面の左側には、図２に示すように、上下方向における中央部に、透光性を有するカバー１２が取り付けられている。スイッチ本体１の内部には、図４に示すように、接点２００のオン／オフ状態に応じて点灯制御される光源Ｌ１およびＬ２が収納されており、光源Ｌ１またはＬ２の光はカバー１２を透過して前方へ放射される。なお、スイッチ本体１の内部には、この他にも光源Ｌ１およびＬ２を点灯させるための回路部品として抵抗器Ｒ１や、電流トランスＣＴ１、ダイオードＤ１などが収納されている。
【００１７】
光源Ｌ１、光源Ｌ２および接点２００について具体的に説明する（図４参照）。スイッチ１０は、図示しない負荷（例えば照明器具）のオン／オフに用いるために、電源と負荷との間に接点２００を挿入するように接続される。接点２００がオン状態のとき、光源Ｌ１が例えば赤色に点灯して負荷がオンであることを示す。このとき、光源Ｌ２は点灯しない。また、接点２００がオフ状態のとき、光源Ｌ２が例えば緑色に点灯して負荷がオフであることを示す。このとき、光源Ｌ１は点灯しない。なお、スイッチ本体１は、光源Ｌ１と光源Ｌ２のいずれか一方のみを備えていてもよい。
【００１８】
また、スイッチ１０は、スイッチ本体１内部の接点２００のオン／オフ状態に応じて光源Ｌ１や光源Ｌ２が点灯制御される構成に限定されない。すなわち、負荷が照明器具の場合、照明器具の調光度に応じて、光源の強度や色が変化するように構成されていてもよい。
【００１９】
さらに、本実施形態のスイッチ１０は、図４に示すような片切スイッチ以外に、所謂３路スイッチでもよい。この場合、例えば１つの照明器具に対して２個のスイッチ１０が用いられる。２個のスイッチ１０のうちの一方のスイッチ内部の接点が切り換えられなくても、他方のスイッチ内部の接点が切り替えられたとき、両スイッチの光源の点灯状態が切り替わるように構成される。つまり、負荷が接続されている回路の開閉状態に応じて各スイッチ１０の光源の点灯状態が切り替わる。なお、このような３路スイッチの構成は従来周知のため詳細な説明は省略する。
【００２０】
スイッチ本体１の左側面および右側面には、スイッチ本体１を取付枠３に取り付けるための取付爪１３が２個ずつ設けられている（図２では右側面のみ図示）。スイッチ本体１の右側壁において、２個の取付爪１３が設けられた部位の周りにはスリットが形成されており、２個の取付爪１３が設けられた部位（この部位を可動片１４という）は、その前端側でスイッチ本体１に片持ち支持されている。したがって、可動片１４の後部に設けられた突起１５を押し込むことによって、可動片１４に設けられた２個の取付爪１３を、スイッチ本体１の内側に引っ込めることができる。
【００２１】
スイッチ本体１の前面の左側には、図２に示すように、操作ハンドル２の第１の端部（左端部）２３側を回転可能に支持するための円柱状の２個の軸１６が、カバー１２を挟んで上下両側に並べて設けられている。
【００２２】
スイッチ本体１の後部には、図３に示すように、電線（図示せず）を挿入するための電線挿入孔１７が左右に２個ずつ設けられている。スイッチ本体１の内部には、接点２００の両側端子にそれぞれ電気的に接続された速結構造の接続端子が収納されており、この接続端子に電線挿入孔１７から挿入された電線の芯線が接続される。
【００２３】
なお、このようなスイッチ本体１は従来周知であるから、詳細な構造の図示および説明は省略する。
【００２４】
操作ハンドル２は、図１（ｂ）に示すように、基部２１と、基部２１の前面に設けられる透光部２２と、導光部７と、を備える。なお、基部２１および透光部２２は、二色成型品として形成されている。透光部２２は、操作ハンドル２の外観を向上させるために、ポリカーボネートなどの透光性材料により形成されている。操作ハンドル２は、図２に示すように、押釦ハンドル１１の前面よりも十分に大きい寸法を有する矩形板状に形成されている。なお、基部２１と透光部２２は、前面から視たときに互いに略同一寸法の矩形状に形成されている。操作ハンドル２の前面の右側には、上下方向における中央部に、操作ハンドル２を前後方向に貫通する長円形状の孔が設けられ、この孔に導光部７の一部である表示部７１が挿入されている。具体的には、図１（ｂ）に示すように、基部２１は前後方向に貫通する第１の孔２１ａを有し、透光部２２は第１の孔２１ａと対向する位置に前後方向に貫通する第２の孔２２ａを有する。上記孔は、第１の孔２１ａと第２の孔２２ａとが連通して構成されており、表示部７１は、第１の孔２１ａと第２の孔２２ａに挿通されることで、操作ハンドル２の前面に露出する。この操作ハンドル２の裏面には、図１（ｂ）に示すように、導光部７の一部であり、スイッチ本体１のカバー１２から照射された光を表示部７１に導く延出部７２が取り付けられている。そして、接点２００のオン／オフ状態に応じて、スイッチ本体１に収納された光源Ｌ１およびＬ２の光で表示部７１が光るため、ユーザはスイッチ１０の位置や、負荷の状態を確認することができる。なお、導光部７（表示部７１および延出部７２）については後で詳しく説明する。
【００２５】
また、操作ハンドル２は、図１（ａ）、１（ｂ）および図２に示すように、スイッチ本体１に回転可能に支持される第１の端部（左端部）２３と、第１の端部２３とは反対側に位置する第２の端部（右端部）２４と、を有する。操作ハンドル２の第１の端部２３の裏面（後面）には、スイッチ本体１の軸１６と対向する部位に、軸１６が回転可能な状態で取り付けられる軸受け部２７（図１（ｂ）参照）が設けられている。操作ハンドル２は、軸受け部２７に軸１６を保持させることによって、スイッチ本体１の前面において第１の端部２３側（左側）で回転可能に支持されている。そして、操作ハンドル２の前面の第２の端部２４側（右側）を後方に押し込むと、操作ハンドル２は軸１６によって支持される部位を支点にして回転する。また、操作ハンドル２の後面には突起２８（図１（ｂ）参照）が設けられており、操作ハンドル２の回転にともなって突起２８が押釦ハンドル１１を押し込むように構成されている。つまり、操作ハンドル２の前面の第２の端部２４側が押し込まれる度に、押釦ハンドル１１を介してスイッチ本体１の内部に収納された接点２００のオン／オフが切り替えられる。
【００２６】
次に、取付枠３は、図２に示すように、合成樹脂又は金属板により、スイッチ本体１が取り付けられる窓孔３１を有した矩形枠状に形成される。この取付枠３は、長手方向（図２の上下方向）において窓孔３１を挟んで対向する一対の第１梁部３２と、一対の第１梁部３２が対向する方向と交差する方向（左右方向）において、窓孔３１を挟んで対向する一対の第２梁部３３を備える。つまり、一対の第１梁部３２と、一対の第２梁部３３とで囲まれた空間が窓孔３１となっている。この窓孔３１は矩形状であって、スイッチ本体１が上下方向に３個並べて配置された場合の前面の大きさと略同じ大きさに形成されている。
【００２７】
各第１梁部３２には、図２に示すように、第１梁部３２の裏面側を壁面１００（図５参照）に当てた状態で、第１梁部３２を壁面１００に固定するためのネジ（図示せず）を挿入する挿入孔３４が設けられている。また、各第１梁部３２には、挿入孔３４よりも外側であって、左右方向の中央にネジ孔３５が設けられている。
【００２８】
各第２梁部３３には、図２に示すように、窓孔３１の長手方向（上下方向）における両側部および中央部の取付位置でスイッチ本体１を保持するための保持部として、複数の貫通孔が設けられている。すなわち、各第２梁部３３の長手方向における中央部には、保持部として２個の貫通孔３６が設けられている。２個の貫通孔３６は、スイッチ本体１の片側にある２個の取付爪１３と同じ間隔で設けられている。そして、本実施形態のようにスイッチ本体１が取付枠３の中央部の取付位置で保持される場合には、２個の貫通孔３６に、スイッチ本体１の２個の取付爪１３がそれぞれ挿入される。
【００２９】
また、各第２梁部３３の長手方向における一端側（上側部）には、図２に示すように、保持部として貫通孔３７と貫通孔３８が設けられている。そして、スイッチ本体１が取付枠３の上側部の取付位置で保持される場合には、貫通孔３７と貫通孔３８に、スイッチ本体１の２個の取付爪１３がそれぞれ挿入される。
【００３０】
また、各第２梁部３３の長手方向における他端側（下側部）にも、図２に示すように、保持部として貫通孔３７と貫通孔３８が設けられている。そして、スイッチ本体１が取付枠３の下側部の取付位置で保持される場合には、貫通孔３７と貫通孔３８に、スイッチ本体１の２個の取付爪１３がそれぞれ挿入される。
【００３１】
つまり、各第２梁部３３の上記保持部は、中央部の２個の貫通孔３６と、上側部の貫通孔３７および貫通孔３８と、下側部の貫通孔３７および貫通孔３８と、によって構成される。なお、本実施形態では、１個のスイッチ本体１が、スイッチ本体１の前端部が窓孔３１から前側に突出した状態で、上記保持部を介して取付枠３の中央部に取り付けられている。
【００３２】
この取付枠３は、壁面１００（図５参照）に設けられた埋込用の孔の周縁部に第１梁部３２の後面（裏面）を当てた状態で、壁面１００に埋め込まれたスイッチボックス（図示せず）に取り付けられることによって、壁面１００に対して固定される。つまり、各第１梁部３２の挿入孔３４に通されたネジ（図示せず）が、スイッチボックスのねじ孔にねじ止めされる。ただし、スイッチボックスが埋め込まれていない場合、取付枠３は、従来周知の挟み金具（図示せず）を用いて壁面に固定されてもよい。
【００３３】
化粧用のプレート４は、図２に示すように、取付枠３に取り付けられるプレートボディ５と、プレートボディ５を覆うようにプレートボディ５に着脱可能に取り付けられるプレートカバー６とを備える。
【００３４】
プレートボディ５は、図２に示すように、合成樹脂材料により一対の横片５１と一対の縦片５２とを有する矩形枠状に形成されている。ここで、一対の横片５１と一対の縦片５２とで囲まれた窓孔５３は、プレートボディ５が取付枠３に取り付けられた状態で、取付枠３の窓孔３１と前後方向において重なる位置に設けられている。
【００３５】
各横片５１の左右方向における中央部には、ネジを挿入するための挿入孔５４が設けられている。また、各縦片５２の長手方向（上下方向）における中央部と両側部とには、それぞれ矩形の貫通孔５５が形成されている。
【００３６】
プレートカバー６は、図２に示すように、前壁６２と側壁６３とが合成樹脂成形体として一体に構成されている。前壁６２は、前後方向から視て四隅が湾曲した長方形状であり、周縁から中央に向かって前方へ膨らむ曲面形状に形成されている。また、前壁６２の中央には、矩形の窓孔６１が形成されている。さらに、前壁６２の背面には、プレートボディ５に設けられた複数の貫通孔５５の各々に対応する部位に、貫通孔５５内に挿入されて前壁６２の周縁部に引っ掛かる引掛部（図示せず）が設けられている。側壁６３は、前端が前壁６２の周縁に連結された環状に形成されている。この側壁６３は、前方に向かって外側に傾斜するように構成される。
【００３７】
次に、操作ハンドル２の導光部７について詳しく説明する。導光部７は、図１（ａ）および図１（ｂ）に示すように、スイッチ本体１の光源Ｌ１またはＬ２から放射された光を操作ハンドル２の前面側に導光するように構成されており、表示部７１と、延出部７２とを備える。
【００３８】
表示部７１は、図１（ａ）および図１（ｂ）に示すように、アクリル樹脂等の透光性材料により形成された成形品であり、基部２１の後面側における第１の孔２１ａの周縁に固定される鍔部７１ａと、鍔部７１ａから前方へ突出する本体部７１ｂとを有する。
【００３９】
本体部７１ｂは、前後方向から視て、第１の孔２１ａおよび第２の孔２２ａと同形の、長円形状に形成されている。本体部７１ｂは、第１の孔２１ａと第２の孔２２ａに挿通されて、本体部７１ｂの前面が操作ハンドル２の前面から露出する。なお、本体部７１ｂの前面には、図１（ａ）に示すように、上下方向に沿って延びる複数の溝を有した溝部７１ｃが設けられている。溝部７１ｃにより光が拡散反射されるため眩しさを抑えることができる。
【００４０】
延出部７２は、図１（ｂ）に示すように、基部２１の後面に沿って、スイッチ本体１の光源Ｌ１およびＬ２の前方から表示部７１に向かって延びている。具体的には、延出部７２は、左右方向に延びる細長板状のプリズムであり、基部２１とスイッチ本体１との間で基部２１の後面に沿うように配置されている。延出部７２は、左端部側にスイッチ本体１のカバー１２と対向する入射面７２ａと、右端部側に表示部７１と対向する出射面７２ｂと、を有する。スイッチ本体１の光源Ｌ１またはＬ２からカバー１２を介して放射された光は、入射面７２ａから入射し、第１の屈折面７２ｃで屈折されて右方へ導かれる。さらに右方へ導かれた光は、第２の屈折面７２ｄで前方へ屈折されて、出射面７２ｂより表示部７１に向かって出射される。
【００４１】
ここで、本実施形態の表示部７１の本体部７１ｂと第２の孔２２ａの内周面との間には、図１（ａ）および図１（ｂ）に示すように、全周に亘って空気層８が設けられている。言い換えれば、表示部７１の本体部７１ｂは、透光部２２に対して、全周に亘って離間するように配置されている。ここで、空気層８の屈折率が１に対して、樹脂成型品の表示部７１および透光部２２の屈折率はいずれも１．５〜１．６程度である。したがって、空気層８を設けることにより、臨界角が小さくなり、表示部７１から側方に向かって（透光部２２に向かって）放射された光が、表示部７１の側面と空気層８との界面で、全反射を起こしやすくなる。つまり、空気層８を設けることにより、透光部２２への光の拡散が抑制されることになる。その結果、透光部２２を設けることで操作ハンドル２の外観の向上を図りながらも、透光部２２への光の拡散が抑制されるため表示部７１の視認性を向上させることができる。
【００４２】
なお、空気層８の厚さ（つまり、前方から視たときの隙間の寸法）は０．５ｍｍ以下が好ましい。また、本実施形態では、図１（ｂ）に示すように、本体部７１ｂと、基部２１の第１の孔２１ａの内周面との間にも、空気層８と連続して空気層が設けられている。しかしながら、本体部７１ｂと、基部２１の第１の孔２１ａの内周面との間には、空気層を設けることなく全周に亘って互いに接触している方がより好ましい。この場合、表示部７１の安定した位置決めを行うことができ、空気層８の厚さを全周に亘ってより均一に保つことができる。
【００４３】
また、操作ハンドル２の前面を、図１（ａ）に示すように、第１の領域２５と第２の領域２６に分割した場合、本実施形態の表示部７１は、第２の領域２６に配置されている。ここで言う、第１の領域２５とは、第１の端部２３と第２の端部２４の中心Ｃ１（図１（ａ）の点線）よりも第１の端部２３側の領域（本実施形態では前面の左半分）として定義される。また、第２の領域２６は、中心Ｃ１よりも第２の端部２４側の領域（本実施形態では前面の右半分）として定義される。つまり、接点２００のオン／オフを切り替える際に、ユーザは、操作ハンドル２の前面の第２の領域２６を後方に押し込むことになるが、表示部７１も同じく第２の領域２６に配置されている。そのため、ユーザは、接点２００のオン／オフを切り替える際に、表示部７１の光を目印として、表示部７１あるいはその周辺を後方に押し込めばよい。したがって、スイッチ本体１に回転可能に支持される第１の端部２３側の第１の領域２５内に表示部が配置されている場合に比べて、操作性が向上される。なお、表示部７１は、図１（ａ）に示すように、第２の領域２６内でも中心Ｃ１よりも第２の端部２４の近くに配置されていることが好ましい。
【００４４】
ところで、スイッチ本体１の押釦ハンドル１１は、操作ハンドル２を前面から視たときに、中心Ｃ１に対して少し第２の領域２６寄りに配置されている。そのため、構造上、スイッチ本体１の光源Ｌ１、Ｌ２およびカバー１２は、操作ハンドル２を前面から視たときに、第１の領域２５と重なる位置に配置されている。ここで、本実施形態の導光部７は、上述の通り、基部２１の後面に沿って、スイッチ本体１の光源Ｌ１およびＬ２の前方から表示部７１に向かって延びている延出部７２を備えている。したがって、本実施形態のように、操作ハンドル２を前面から視たときにスイッチ本体１の光源Ｌ１およびＬ２と表示部７１と位置関係が異なるように配置されている場合でも、延出部７２を通じて光源Ｌ１およびＬ２の光を表示部７１へ導光することができる。
【００４５】
なお、図１（ａ）〜図５に示す操作ハンドル２は、取付枠３の中央部にスイッチ本体１を１個だけ取り付ける場合に使用され、操作ハンドル２の大きさはプレートカバー６の窓孔６１とほぼ同じ大きさに形成されている。これに対して、例えば取付枠３にスイッチ本体１を３個取り付ける場合には、図６に示すような３個の操作ハンドル２Ａ（操作部）が設けられてもよい。各操作ハンドル２Ａの大きさは、窓孔６１を長手方向において三等分した大きさとほぼ同じ大きさに形成されている。この場合、１個のスイッチ本体１と１個の操作ハンドル２Ａとで１個のスイッチが構成される。なお、操作ハンドル２Ａは、大きさを除いて、操作ハンドル２と同様の構成を有しているので、その説明は省略する。また、図示しないが、取付枠３にスイッチ本体１を２個取り付ける場合には、２個の操作ハンドル（操作部）が設けられてもよい。この場合、各操作ハンドルの大きさは、窓孔６１を長手方向において二等分した大きさとほぼ同じ大きさに形成される。
【００４６】
以上説明した本実施形態に係るスイッチ１０では、接点２００および光源Ｌ１、Ｌ２を備えたスイッチ本体１と、操作部（操作ハンドル２）と、を備える。操作部（操作ハンドル２）は、スイッチ本体１の前面を覆うように設けられ、押操作に応じて接点２００のオン／オフを切り換える。操作部（操作ハンドル２）は、基部２１と、透光性材料により形成されて基部２１の前面に設けられる透光部２２と、導光部７と、を備える。導光部７は、少なくとも当該透光部２２の前面から露出する表示部７１を有し、光源Ｌ１またはＬ２から放射された光を透光部２２の前面側に導光する。基部２１は、表示部７１が挿通される第１の孔２１ａを有する。透光部２２は、表示部７１が挿通される第２の孔２２ａを有する。第２の孔２２ａの内周面と表示部７１との間には、全周に亘って空気層８が設けられている。
【００４７】
また、スイッチ１０において、操作部（操作ハンドル２）は、スイッチ本体１に回転可能に支持される第１の端部２３と、第１の端部２３とは反対側に位置する第２の端部２４と、を有することが好ましい。操作部（操作ハンドル２）の前面は、第１の端部２３と第２の端部２４の中心Ｃ１よりも第１の端部２３側の第１の領域２５と、中心Ｃ１よりも第２の端部２４側の第２の領域２６とを有することが好ましい。表示部７１は、第２の領域２６に配置されていることが好ましい。
【００４８】
また、スイッチ１０において、操作部（操作ハンドル２）は、スイッチ本体１に回転可能に支持される第１の端部２３と、第１の端部２３とは反対側に位置する第２の端部２４と、を有することが好ましい。操作部（操作ハンドル２）の前面は、第１の端部２３と第２の端部２４の中心Ｃ１よりも第１の端部２３側の第１の領域２５と、中心Ｃ１よりも第２の端部２４側の第２の領域２６とを有することが好ましい。光源Ｌ１およびＬ２は、操作部（操作ハンドル２）を前面から視たときに、第１の領域２５と重なる位置に配置されていることが好ましい。この場合、さらに、表示部７１は、第２の領域２６に配置され、導光部７は、基部２１の後面に沿って、光源Ｌ１およびＬ２から表示部７１に向かって延びる延出部７２を有することが好ましい。
【符号の説明】
【００４９】
１  スイッチ本体
２  操作ハンドル（操作部）
７  導光部
８  空気層
１０  スイッチ
２１  基部
２２  透光部
２３  第１の端部
２４  第２の端部
２５  第１の領域
２６  第２の領域
７１  表示部
７２  延出部
Ｌ１  光源
Ｌ２  光源
２００  接点
【図１】
2015153558.tif 000003
【図２】
2015153558.tif 000004
【図３】
2015153558.tif 000005
【図４】
2015153558.tif 000006
【図５】
2015153558.tif 000007
【図６】
2015153558.tif 000008